(57)【要約】【課題】原稿からの反射光が変動してしまうことを防止することができる画像読取装置及び画像形成装置を提供する。【解決手段】画像読取装置は、原稿が搬送される搬送路と、前記搬送路上に予め設定され且つ通過する原稿が読み取られる原稿読取位置に配置され、光が透過可能な光透過部材と、前記光透過部材を挟み前記搬送路の反対側に配置され、前記光透過部材を通過する光を前記原稿読取位置を通過する原稿に向けて照射する光源と、前記原稿読取位置を通過する原稿からの反射光に基づいて、原稿を通過方向とは直交する主走査方向に読み取る読取部と、前記搬送路を挟み前記光透過部材の反対側に配置され、前記原稿読取位置に原稿がない際に前記光源からの光を原稿で反射した光よりも多く前記読取部に向け反射するような角度分傾斜した第１の反射部と、前記第１の反射部と主走査方向に並び、前記第１の反射部よりも前記光透過部材に近い位置で光を反射する第２の反射部と、を有する。【選択図】図３
2014165909.tif 000002
【特許請求の範囲】
【請求項１】
原稿が搬送される搬送路と、
前記搬送路上に予め設定され且つ通過する原稿が読み取られる原稿読取位置に配置され、光が透過可能な光透過部材と、
前記光透過部材を挟み前記搬送路の反対側に配置され、前記光透過部材を通過する光を前記原稿読取位置を通過する原稿に向けて照射する光源と、
前記原稿読取位置を通過する原稿からの反射光に基づいて、原稿を通過方向とは直交する主走査方向に読み取る読取部と、
前記搬送路を挟み前記光透過部材の反対側に配置され、前記原稿読取位置に原稿がない際に前記光源からの光を原稿で反射した光よりも多く前記読取部に向け反射するような角度分傾斜した第１の反射部と、
前記第１の反射部と主走査方向に並び、前記第１の反射部よりも前記光透過部材に近い位置で光を反射する第２の反射部と、
を有する画像読取装置。
【請求項２】
前記第１の反射部により反射された光を検知して、前記原稿読取位置を通過する原稿の端を検知する請求項１記載の画像読取装置。
【請求項３】
前記第２の反射部は、原稿に形成された綴じ穴に対応した主走査方向における位置に形成されている請求項１又は２記載の画像読取装置。
【請求項４】
前記第２の反射部は、定型原稿の主走査方向の端と重ならないように配置される請求項１乃至３いずれか記載の画像読取装置。
【請求項５】
前記第２の反射部は、定型原稿に形成される少なくとも１つの綴じ穴が通過する位置に対応した主走査方向位置に配置される請求項１乃至４いずれか記載の画像読取装置。
【請求項６】
前記第１の反射部で検出された光を前記第２の反射部で検出された光より重みづけして、原稿の端を判別する端判別部を有する請求項１乃至５いずれか記載の画像読取装置。
【請求項７】
原稿が搬送される搬送路と、
前記搬送路上に予め設定され且つ通過する原稿が読み取られる原稿読取位置に配置され、光が透過可能な光透過部材と、
前記光透過部材を挟み前記搬送路の反対側に配置され、前記光透過部材を通過する光を前記原稿読取位置を通過する原稿に向けて照射する光源と、
前記原稿読取位置を通過する原稿からの反射光に基づいて、原稿を通過方向とは直交する主走査方向に読み取る読取部と、
前記搬送路を挟み前記光透過部材の反対側に配置され、前記原稿読取位置の原稿から離れた位置で前記光透過部材を透過した光を反射する第１の反射部と、
前記第１の反射部と主走査方向に並び、前記第１の反射部よりも前記原稿読取位置の原稿に近い位置で光を反射する第２の反射部と、
を有する画像読取装置。
【請求項８】
原稿が搬送される搬送路と、前記搬送路上に予め設定され且つ通過する原稿が読み取られる原稿読取位置に配置され、光が透過可能な光透過部材と、前記光透過部材を挟み前記搬送路の反対側に配置され、前記光透過部材を通過する光を前記原稿読取位置を通過する原稿に向けて照射する光源と、前記原稿読取位置を通過する原稿からの反射光に基づいて、原稿を通過方向とは直交する主走査方向に読み取る読取部と、前記搬送路を挟み前記光透過部材の反対側に配置され、前記原稿読取位置に原稿がない際に前記光源からの光を原稿で反射した光よりも多く前記読取部に向け反射するような角度分傾斜した第１の反射部と、前記第１の反射部と主走査方向に並び、前記第1の反射部よりも前記光透過部材に近い位置で光を反射する第２の反射部と、を有する画像読取装置と、
前記画像読取装置により読み取られた画像情報に基づいて原稿に画像を形成する画像形成部と、
画像を形成する原稿の定型サイズと定型穴位置を選択する選択手段と、を備え、
前記第２の反射部は、原稿の定型サイズに形成される定型穴位置に対応した位置に形成される画像形成装置。
【発明の詳細な説明】
【技術分野】
【０００１】
本発明は、画像読取装置及び画像形成装置に関する。
【背景技術】
【０００２】
特許文献１には、反射光反射板１３の上方の位置に、前後方向に延びる板状のガイド反射板２８が支持され、このガイド反射板２８は、照射ランプ１１からの照射光を反射光反射板１３に向けて反射するように予め設定された角度分傾斜した状態で支持され、原稿が原稿読取位置に存在しない状態におけるガイド反射板２８からの反射光の光量と、原稿読取位置に差し掛かった原稿からの反射光の光量とに基づいて、原稿の端を判別する画像形成装置が開示されている。
【０００３】
特許文献２には、２つのスキュー量検知部１８−１、１８−２がそれぞれ原稿Ｐの先端部を検出し、その座標位置に基づいて、スキュー角度Ｓを算出して原稿の画像の傾きを補正する画像形成装置が開示されている。
【先行技術文献】
【特許文献】
【０００４】
【特許文献１】特開２０１２−０３９３１６号公報
【特許文献２】特開２０１２−０８０４６４号公報
【発明の概要】
【発明が解決しようとする課題】
【０００５】
本発明の目的は、原稿からの反射光が変動してしまうことを防止できる画像読取装置及び画像形成装置を提供することにある。
【課題を解決するための手段】
【０００６】
請求項１に係る本発明は、原稿が搬送される搬送路と、前記搬送路上に予め設定され且つ通過する原稿が読み取られる原稿読取位置に配置され、光が透過可能な光透過部材と、前記光透過部材を挟み前記搬送路の反対側に配置され、前記光透過部材を通過する光を前記原稿読取位置を通過する原稿に向けて照射する光源と、前記原稿読取位置を通過する原稿からの反射光に基づいて、原稿を通過方向とは直交する主走査方向に読み取る読取部と、前記搬送路を挟み前記光透過部材の反対側に配置され、前記原稿読取位置に原稿がない際に前記光源からの光を原稿で反射した光よりも多く前記読取部に向け反射するような角度分傾斜した第１の反射部と、前記第１の反射部と主走査方向に並び、前記第１の反射部よりも前記光透過部材に近い位置で光を反射する第２の反射部と、を有する画像読取装置である。
【０００７】
請求項２に係る本発明は、前記第１の反射部により反射された光を検知して、前記原稿読取位置を通過する原稿の端を検知する請求項１記載の画像読取装置である。
【０００８】
請求項３に係る本発明は、前記第２の反射部は、原稿に形成された綴じ穴に対応した主走査方向における位置に形成されている請求項１又は２記載の画像読取装置である。
【０００９】
請求項４に係る本発明は、前記第２の反射部は、定型原稿の主走査方向の端と重ならないように配置される請求項１乃至３いずれか記載の画像読取装置である。
【００１０】
請求項５に係る本発明は、前記第２の反射部は、定型原稿に形成される少なくとも１つの綴じ穴が通過する位置に対応した主走査方向位置に配置される請求項１乃至４いずれか記載の画像読取装置である。
【００１１】
請求項６に係る本発明は、前記第１の反射部で検出された光を前記第２の反射部で検出された光より重みづけして、原稿の端を判別する端判別部を有する請求項１乃至５いずれか記載の画像読取装置である。
【００１２】
請求項７に係る本発明は、原稿が搬送される搬送路と、前記搬送路上に予め設定され且つ通過する原稿が読み取られる原稿読取位置に配置され、光が透過可能な光透過部材と、前記光透過部材を挟み前記搬送路の反対側に配置され、前記光透過部材を通過する光を前記原稿読取位置を通過する原稿に向けて照射する光源と、前記原稿読取位置を通過する原稿からの反射光に基づいて、原稿を通過方向とは直交する主走査方向に読み取る読取部と、前記搬送路を挟み前記光透過部材の反対側に配置され、前記原稿読取位置の原稿から離れた位置で前記光透過部材を透過した光を反射する第１の反射部と、前記第１の反射部と主走査方向に並び、前記第１の反射部よりも前記原稿読取位置の原稿に近い位置で光を反射する第２の反射部と、を有する画像読取装置である。
【００１３】
請求項８に係る本発明は、原稿が搬送される搬送路と、前記搬送路上に予め設定され且つ通過する原稿が読み取られる原稿読取位置に配置され、光が透過可能な光透過部材と、前記光透過部材を挟み前記搬送路の反対側に配置され、前記光透過部材を通過する光を前記原稿読取位置を通過する原稿に向けて照射する光源と、前記原稿読取位置を通過する原稿からの反射光に基づいて、原稿を通過方向とは直交する主走査方向に読み取る読取部と、前記搬送路を挟み前記光透過部材の反対側に配置され、前記原稿読取位置に原稿がない際に前記光源からの光を原稿で反射した光よりも多く前記読取部に向け反射するような角度分傾斜した第１の反射部と、前記第１の反射部と主走査方向に並び、前記第1の反射部よりも前記光透過部材に近い位置で光を反射する第２の反射部と、を有する画像読取装置と、前記画像読取装置により読み取られた画像情報に基づいて原稿に画像を形成する画像形成部と、画像を形成する原稿の定型サイズと定型穴位置を選択する選択手段と、を備え、前記第２の反射部は、原稿の定型サイズに形成される定型穴位置に対応した位置に形成される画像形成装置である。
【発明の効果】
【００１４】
請求項１に係る本発明によれば、原稿からの反射光が変動してしまうことを防止できる画像読取装置を提供することができる。
【００１５】
請求項２に係る本発明によれば、原稿から離れた位置で光を反射するもののみで構成される反射板を用いる場合と比較して、原稿の端を精度よく検出しつつ、原稿からの反射光が変動してしまうことを防止できる画像読取装置を提供することができる。
【００１６】
請求項３に係る本発明によれば、第２の反射部を原稿に形成された綴じ穴に対応した位置に形成しない場合と比較して、読取画像中で、原稿の綴じ穴によって生じる影が目立ってしまうことを防止することができる画像読取装置を提供することができる。
【００１７】
請求項４に係る本発明によれば、第２の反射部を原稿の主走査方向の端と重なる位置に配置する場合と比較して、原稿の主走査方向の端を精度よく検出できる画像読取装置を提供することができる。
【００１８】
請求項５に係る本発明によれば、第２の反射部を原稿に形成された綴じ穴が通過する位置に対応した位置に配置しない場合と比較して、読取画像中で、原稿の綴じ穴によって生じる影が目立ってしまうことを防止できる画像読取装置を提供することができる。
【００１９】
請求項６に係る本発明によれば、原稿からの反射光と反射板からの反射光の光量の変化が少ない構成で原稿の端を判別する場合と比較して、原稿の端を精度よく判別することができる画像読取装置を提供することができる。
【００２０】
請求項７に係る本発明によれば、本構成を有しない場合に比較して、綴じ穴が形成された原稿を画像形成装置で画像形成する場合に、綴じ穴が目立って画像形成されてしまうことを防止できる画像読取装置を提供することができる。
【００２１】
請求項８に係る本発明によれば、原稿からの反射光が変動してしまうことを防止できる画像形成装置を提供することができる。
【図面の簡単な説明】
【００２２】
【図１】本発明の一実施形態に係る画像形成装置の全体構成図である。
【図２】本発明の一実施形態に係る画像読取装置の部分構成図である。
【図３】本発明の一実施形態に係る画像読取装置の拡大断面図である。
【図４】本発明の一実施形態に係る反射板の外観を示す斜視図である。
【図５】本発明の一実施形態に係る反射板の（ａ）は断面図であって、（ｂ）は（ａ）の断面図を含んだ斜視図である。
【図６】本発明の一実施形態に係る反射板下方を原稿Ｇが通過する様子を示す図である。
【図７】センターレジ方式を用いた場合とコーナーレジ方式を用いた場合のＡ３，Ａ４，Ｂ４，Ｂ５サイズの原稿の綴じ穴の位置を示す図である。
【図８】本発明の一実施形態に係るセンターレジ方式で原稿を搬送する場合の綴じ穴の位置を示す図である。
【図９】本発明の他の実施形態に係るコーナーレジ方式で原稿を搬送する場合の綴じ穴の位置を示す図である。
【図１０】本発明の比較例に係る反射板の外観を示す斜視図である。
【図１１】読取画像中で、原稿の綴じ穴によって影が生じるメカニズムを説明する図であって、（ａ）は本発明の一実施形態に係る反射板周辺の拡大断面図であって、（ｂ）は比較例に係る反射板周辺の拡大断面図である。
【図１２】比較例に係る反射板を用いて画像形成を行った場合の（ａ）は綴じ穴が存在する原稿の一例を示す図であって、（ｂ）は（ａ）の原稿における綴じ穴周辺の拡大図である。
【図１３】本発明の一実施形態に係る画像形成装置の制御構成を示すブロック図である。
【図１４】本発明の一実施形態に係る画像読取装置の動作を示すフローチャートである。
【発明を実施するための形態】
【００２３】
次に本発明の実施形態を図面に基づいて説明する。
【００２４】
図１には、本発明の一実施形態に係る画像形成装置１０が示されている。画像形成装置１０は、下側から上方へ向けて順に、記録媒体の一例としての記録用紙Ｐを収納する用紙収納部１２と、記録用紙Ｐに画像を形成する画像形成部１４と、画像が形成された原稿Ｇの画像情報を読み取る画像読取装置１６とを有している。そして、画像形成された記録用紙Ｐは、画像形成部１４の上部で且つ画像読取装置１６の下側に設けられた排出部１８に排出されるようになっている。なお、原稿Ｇの「画像」とは、画像形成装置１０で画像形成されたものに限らず、手書きの画像や模様を含んでいる。
【００２５】
また、画像形成装置１０は、筐体１１を有している。なお、本実施形態では一例として、筐体１１は、用紙収納部１２の本体を構成する筐体１１Ａと、画像形成部１４の本体を構成する筐体１１Ｂとで構成されている。筐体１１Ｂの上方向（矢印Ｚ方向）中央部には、互いに異なった色のトナー画像を形成するとともに、水平方向（矢印Ｘ方向）に対して傾斜した状態に並んで配置された複数個の画像形成ユニット４０が設けられている。
【００２６】
さらに、画像形成ユニット４０の上側には、回転駆動される駆動ロール４４、張力を付与する張力付与ロール４６、従動回転する支持ロール４８、第１のアイドラロール５２、第２のアイドラロール５４、及び後述する一次転写ロール５６に巻き掛けられた無端状の中間転写ベルト４２が設けられている。そして、中間転写ベルト４２が図中矢印Ａ方向に循環移動することにより、各色の画像形成ユニット４０で形成されたトナー画像が中間転写ベルト４２に一次転写されるようになっている。
【００２７】
なお、以後の説明では、画像形成装置１０を正面視して、右方向をＸ方向、上方向をＺ方向、Ｘ方向及びＺ方向と直交する奥行き方向をＹ方向と記載する。
【００２８】
画像形成装置１０には、イエロー（Ｙ）、マゼンタ（Ｍ）、シアン（Ｃ）、黒（Ｋ）の４色に対応する画像形成ユニット４０Ｙ、４０Ｍ、４０Ｃ、４０Ｋが、中間転写ベルト４２の移動方向（矢印Ａ方向）下流側へ向けてこの順番で設けられている。
【００２９】
画像形成ユニット４０Ｙ、４０Ｍ、４０Ｃ、４０Ｋは、画像形成ユニット４０Ｙが最も高い位置、画像形成ユニット４０Ｋが最も低い位置に設けられており、矢印Ｘ方向に対して斜めに傾斜した状態で一定の間隔を隔てて並べられている。また、画像形成ユニット４０Ｙ、４０Ｍ、４０Ｃ、４０Ｋは、収容されるトナーを除いて同様の構成とされている。なお、以後の説明では、各色を区別する場合には符号に各色に対応する英字（Ｙ、Ｍ、Ｃ、Ｋ）を付加し、特に区別しない場合には各色に対応する英字を省略する。
【００３０】
画像形成ユニット４０には、図示しない駆動手段によって回転する感光体６２が設けられており、感光体６２の表面（外周面）と対向して、感光体６２の表面を帯電する帯電部材６４が設けられている。また、画像形成ユニット４０の下方には、複数個の画像形成ユニット４０に沿うように傾斜配置された露光ユニット７０が設けられている。
【００３１】
露光ユニット７０は、４本の感光体６２にそれぞれレーザ光を照射（露光）して、感光体６２上に静電潜像を形成するようになっている。
【００３２】
一方、感光体６２の回転方向で帯電部材６４よりも下流側には、感光体６２の表面に形成された静電潜像を決められた色のトナーで現像して可視化させる現像器６６が設けられている。また、感光体６２の回転方向で現像器６６よりも下流側であり且つ中間転写ベルト４２を挟んで感光体６２の反対側には、感光体６２の表面に形成されたトナー画像を電位差により中間転写ベルト４２に一次転写する一次転写ロール５６が設けられている。
【００３３】
さらに、感光体６２の回転方向で一次転写ロール５６よりも下流側には、中間転写ベルト４２に一次転写されずに感光体６２の表面に残留した残留トナー等を清掃するクリーニングユニット６８が設けられている。ここで、画像形成ユニット４０は、感光体６２と、帯電部材６４と、現像器６６と、クリーニングユニット６８とを含んで構成されている。なお、画像形成ユニット４０及び露光ユニット７０に隣接する位置（図示の右端部）には、画像形成装置１０の各部の動作を制御する制御部２０が設けられている。
【００３４】
一方、中間転写ベルト４２の上方には、Ｙ、Ｍ、Ｃ、Ｋの各色の現像器６６に決められた色のトナーを供給するトナーカートリッジ６９Ｙ、６９Ｍ、６９Ｃ、６９Ｋが設けられている。そして、黒（Ｋ）色のトナーを収容したトナーカートリッジ６９Ｋは、使用頻度が高いため、他色のトナーカートリッジと比較して大きくされている。
【００３５】
また、中間転写ベルト４２を挟んで駆動ロール４４の反対側には、中間転写ベルト４２の表面を清掃するクリーニング装置４５が設けられている。クリーニング装置４５は、筐体１１Ｂの前側（ユーザが立つ正面側）に設けられたフロントカバー（図示省略）を手前側に開放することで、筐体１１Ｂに脱着自在とされている。
【００３６】
さらに、中間転写ベルト４２を挟んで支持ロール４８の反対側には、中間転写ベルト４２上に一次転写されたトナー画像を支持ロール４８との電位差で記録用紙Ｐに二次転写させる二次転写ロール４９が設けられている。そして、二次転写ロール４９と支持ロール４８との間が、記録用紙Ｐへトナー画像を転写する二次転写位置とされている。また、二次転写ロール４９の上方には、二次転写ロール４９によってトナー画像が転写された記録用紙Ｐにトナー画像を定着させる定着装置８０が設けられている。
【００３７】
定着装置８０は、記録用紙Ｐ上のトナーを加熱溶融させる熱源を有する加熱ロール８０Ａと、加熱ロール８０Ａの外周面へ向けて記録用紙Ｐを押し付ける（加圧する）加圧ロール８０Ｂとを含んで構成されている。なお、画像形成装置１０内の左側には、Ｚ方向に沿って搬送経路８２が設けられており、記録用紙Ｐは、矢印Ｚ方向へ向けて搬送経路８２に沿って搬送されるようになっている。
【００３８】
一方、図１に示すように、用紙収納部１２には、サイズの異なる記録用紙Ｐが収納される給紙部８４、８５、８６が矢印Ｚ方向に３段で設けられている。また、画像形成部１４の下部には、記録用紙Ｐが収納される給紙部８７が設けられている。各給紙部８４、８５、８６、８７には、収容された記録用紙Ｐを搬送経路８２に送り出す給紙ロール８８が設けられており、給紙ロール８８よりも搬送方向の下流側には、記録用紙Ｐを一枚ずつ搬送する搬送ロール９０及び搬送ロール９２が設けられている。そして、搬送経路８２における記録用紙Ｐの搬送方向で搬送ロール９２よりも下流側には、記録用紙Ｐを一端停止させると共に決められたタイミングで二次転写位置へ送り出す位置合わせロール９４が設けられている。
【００３９】
記録用紙Ｐの搬送方向で定着装置８０よりも下流側（図示の上側）には、トナー画像が定着された記録用紙Ｐを下流側へ搬送する搬送ロール９６が設けられている。さらに、記録用紙Ｐの搬送方向で搬送ロール９６よりも下流側には、揺動して記録用紙Ｐの搬送方向を切り替える切替ゲート９８が設けられている。
【００４０】
また、搬送経路８２における記録用紙Ｐの搬送方向で切替ゲート９８よりも下流側には、一の方向に切り替えられた切替ゲート９８によって案内される記録用紙Ｐを排出部１８に排出させる第１排出ロール１０２が設けられている。さらに、搬送経路８２における記録用紙Ｐの搬送方向で切替ゲート９８よりも下流側には、他の方向に切り替えられた切替ゲート９８によって案内されると共に搬送ロール１０４により搬送される記録用紙Ｐを、排出部１８の上方に設けられる排出部（図示省略）に排出させる第２排出ロール１０６と、記録用紙Ｐを第２排出ロール１０６とは逆側の排出部１１０に排出させる第３排出ロール１０８とが設けられている。
【００４１】
一方、二次転写位置の側方（図示の左側）には、記録用紙Ｐの両面に画像を形成させるために記録用紙Ｐを反転させて搬送する両面用搬送ユニット１１２が設けられている。両面用搬送ユニット１１２には、搬送ロール１０４を逆回転させることで記録用紙Ｐが送り込まれる反転経路１１４が設けられている。さらに、両面用搬送ユニット１１２には、反転経路１１４に沿って複数の搬送ロール１１６が設けられており、記録用紙Ｐは、これらの搬送ロール１１６によって表裏が反転された状態で、位置合わせロール９４に再度搬送される構成となっている。
【００４２】
また、両面用搬送ユニット１１２の側方（図示の左側）には、折り畳み式の手差給紙部１１８が設けられている。そして、筐体１１Ｂ内で手差給紙部１１８から記録用紙Ｐが給紙される部位には、記録用紙Ｐを搬送経路８２へ向けて搬送する給紙ロール１２２及び搬送ロール１２４、１２６が設けられており、搬送ロール１２４、１２６で搬送された記録用紙Ｐは、位置合わせロール９４に搬送されるようになっている。
【００４３】
次に、本発明の一実施形態に係る画像読取装置１６について説明する。
【００４４】
図２及び図３に示すように、画像読取装置１６は、原稿Ｇを画像の読取位置Ｑへ搬送する搬送手段の一例としての搬送部２２と、読取位置Ｑに搬送された原稿Ｇが上面に載ると共に、搬送中の原稿Ｇを読み取るための光の透過部を形成する第１の光透過部材としての第１プラテンガラス１７４と、静止させた状態で載置した原稿Ｇを読み取るための光の透過部を形成する第２の光透過部材としての第２プラテンガラス１７５と、第１プラテンガラス１７４を透過した光を反射する反射部としての反射板１８０と、原稿Ｇからの反射光に基づいて原稿Ｇの画像を読み取る読取部２００と、を有している。
【００４５】
図２に示すように、搬送部２２は、原稿台１９Ａから読取位置Ｑまで原稿Ｇが搬送される第１搬送路１３２と、読取位置Ｑから排出台１９Ｂまで原稿Ｇが搬送される第２搬送路１３４と、第１搬送路１３２及び第２搬送路１３４に接続され原稿Ｇの表裏を反転させる第３搬送路１３６と、原稿Ｇを搬送する後述の複数のロールと、を有している。
【００４６】
第１搬送路１３２には、原稿Ｇの搬送方向の下流側へ向けて順に、ピックアップロール１３８と、フィードロール１４２と、プリレジストロール１４４と、レジストロール１４６とが回転可能に設けられている。これらのロールは、制御部２０によって、回転又は停止が制御されている。なお、以後の説明では、原稿Ｇの搬送方向の下流側、上流側を単に下流側、上流側と記載する場合がある。
【００４７】
ピックアップロール１３８は、待機時にリフトアップされて退避位置に保持されており、原稿Ｇの搬送時に原稿搬送位置へ降下して原稿台１９Ａ上の最上位にある原稿Ｇを下流側へ搬送する。フィードロール１４２は、一対のロールで構成されており、原稿Ｇを下流側へ搬送する。
【００４８】
プリレジストロール１４４は、一対のロールで構成されており、原稿Ｇをレジストロール１４６へ搬送する。
【００４９】
レジストロール１４６は、一対のロールで構成されており、原稿Ｇを読取位置Ｑへ搬送する。
【００５０】
さらに、第１搬送路１３２には、セットセンサ１５２と、フィードアウトセンサ１５４と、プリレジストセンサ１５６と、原稿サイズセンサ１５８と、上流側検知部の一例としてのレジストセンサ１６０とが設けられている。
【００５１】
セットセンサ１５２は、ピックアップロール１３８とフィードロール１４２との間で第１搬送路１３２に向けて配置されており、フィードアウトセンサ１５４は、フィードロール１４２よりも下流側で第１搬送路１３２に向けて配置されている。プリレジストセンサ１５６は、フィードアウトセンサ１５４よりも下流側で且つプリレジストロール１４４よりも上流側において、第１搬送路１３２に向けて配置されている。
【００５２】
原稿サイズセンサ１５８は、プリレジストロール１４４よりも下流側で第１搬送路１３２に向けて配置されている。そして、レジストセンサ１６０は、原稿サイズセンサ１５８よりも下流側で且つレジストロール１４６よりも上流側において、第１搬送路１３２に向けて配置されている。
【００５３】
レジストセンサ１６０は、一例として、接触タイプのセンサが用いられている。詳細には、レジストセンサ１６０は、第１搬送路１３２上にレバー部材（図示省略）が揺動可能に突出されており、このレバー部材の移動範囲内に光学式の検知部が設けられている。そして、原稿Ｇの先端がレバー部材と接触して、レバー部材が検知部に移動すると共に光が遮断されることで検知を行う。
【００５４】
第２搬送路１３４には、下流側へ向けて順に、アウトロール１６２及び排出ロール１６４が回転可能に設けられている。これらのロールは、制御部２０によって、回転又は停止が制御されている。また、アウトロール１６２と排出ロール１６４との間には、反転センサ１６６が設けられている。
【００５５】
アウトロール１６２は、一対のロールで構成されており、読取位置Ｑで画像が読み取られた原稿Ｇを下流側へ搬送する。また、排出ロール１６４は、一対のロールで構成されており、アウトロール１６２によって搬送された原稿Ｇを排出台１９Ｂ上へ排出する。なお、原稿Ｇを反転搬送する場合は、排出ロール１６４は、原稿Ｇの後端を挟み込んだ状態で排出時の回転方向とは逆方向に回転するようになっている。
【００５６】
第３搬送路１３６は、第２搬送路１３４の上方に設けられ、一端が排出ロール１６４の上流側に接続され、他端がプリレジストセンサ１５６の上流側に接続されている。そして、第２搬送路１３４と第３搬送路１３６との分岐位置には、切替ゲート１６８が揺動可能に設けられている。切替ゲート１６８は、三角柱状で最も先端角度が小さい部位が排出ロール１６４側へ向けられており、この部位が、第２搬送路１３４側へ移動することで原稿Ｇを第３搬送路１３６へ案内し、又は第３搬送路１３６側へ移動することで原稿Ｇを排出ロール１６４へ案内するようになっている。
【００５７】
反転センサ１６６は、アウトロール１６２の下流側で且つ切替ゲート１６８よりも上流側に配置されており、原稿Ｇの後端が通過したことを検知する。そして、制御部２０は、反転センサ１６６で原稿Ｇの後端の通過が検知されてから設定時間が経過した後、切替ゲート１６８を第２搬送路１３４側へ移動させると共に、排出ロール１６４を排出時の回転方向とは逆方向に回転させ、原稿Ｇの後端を第３搬送路１３６へ送り込む。これにより、原稿Ｇは、後端側から再度、第１搬送路１３２へ進入し、１回目の読み取り面とは反対側の面の画像の読み取りが行われた後、排出台１９Ｂ上へ排出される。
【００５８】
ここで、原稿台１９Ａの原稿Ｇが載せられる部位（一例として、二点鎖線で示す）には、副走査方向（搬送方向）に光学式（反射式）の原稿サイズセンサ１７２Ａ、１７２Ｂ、１７２Ｃが設けられている。原稿サイズセンサ１７２Ａ、１７２Ｂ、１７２Ｃは、この順でピックアップロール１３８からの距離が遠くなるように間隔をあけて配置されている。
【００５９】
また、原稿台１９Ａには、主走査方向（Ｙ方向）の複数箇所に原稿サイズセンサ（図示省略）が設けられている。この主走査方向の原稿サイズセンサは、光学式のセンサであり、オンかオフとなることにより原稿Ｇの主走査幅を検知する。そして、主走査方向の原稿サイズセンサの出力と、副走査方向の原稿サイズセンサ１７２Ａ、１７２Ｂ、１７２Ｃの出力とに基づいて、原稿Ｇのサイズが判別されるようになっている。
【００６０】
また、第１プラテンガラス１７４と第２プラテンガラス１７５は、上面が揃えられ、第２プラテンガラス１７５は、排出台１９Ｂの下側に設けられている。
【００６１】
読取部２００は、第１プラテンガラス１７４及び第２プラテンガラス１７５の下側に設けられ、Ｘ方向に移動可能とされたフルレートキャリッジ１７６と、ハーフレートキャリッジ１７８と、光学像を光学的に縮小する結像部１８８と、結像部１８８によって結像された光学像を光電変換するＣＣＤ（Ｃｈａｒｇｅ  Ｃｏｕｐｌｅｄ  Ｄｅｖｉｃｅ）イメージセンサ１９０と、を有している。
【００６２】
フルレートキャリッジ１７６内には、光源としてのランプ２６と、原稿Ｇから得られた反射光を受光する第１ミラー１８２とが設けられている。すなわち、ランプ２６は、第1プラテンガラス１７４を挟んで第２搬送路１３４の反対側に配置され、第1プラテンガラス１７４を通過する光を読取位置Ｑを通過する原稿Ｇに向けて照射し、原稿Ｇから得られた反射光を第１ミラー１８２が受光する。そして、フルレートキャリッジ１７６は、第１プラテンガラス１７４の下に静止し、又はＸ方向に移動して第２プラテンガラス１７５の全体に亘ってスキャンして画像を読み込む。
【００６３】
ハーフレートキャリッジ１７８内には、第１ミラー１８２から得られた光Ｌを後述する結像部へ提供する第２ミラー１８４及び第３ミラー１８６が設けられている。そして、ハーフレートキャリッジ１７８は、フルレートキャリッジ１７６から得られた光Ｌ（二点鎖線で示す）を後述の結像部へ提供する。なお、以後の説明では、光Ｌを反射光Ｌ又は光路Ｌという場合がある。
【００６４】
結像部１８８は、光路Ｌ上のＸ方向側に設けられ、第３ミラー１８６から得られた光学像を光学的に縮小する。そして、結像部１８８によって結像された光学像をＣＣＤイメージセンサ１９０が画像情報（画像データ）に変換する。
【００６５】
詳細には、ＣＣＤイメージセンサ１９０は、異なる分光感度毎に設けられており、個々の受光素子（図示省略）の受光量に応じた画像信号を生成して後段に出力する。即ち、結像用レンズ１８８によって結像された光学像を光電変換して赤（Ｒ）、緑（Ｇ）、青（Ｂ）の各色の画像信号を生成して後段に出力する。
【００６６】
ここで、第２プラテンガラス１７５上に載せられた原稿Ｇの画像を読み取る場合には、フルレートキャリッジ１７６とハーフレートキャリッジ１７８とが、２：１の割合（移動距離の比率）でＸ方向に移動する。このとき、ランプ２６の光が原稿Ｇの被読み取り面に照射されると共に、その原稿Ｇからの反射光Ｌが第１ミラー１８２、第２ミラー１８４、及び第３ミラー１８６の順に反射されて結像用レンズ１８８に導かれる。
【００６７】
結像用レンズ１８８に導かれた光Ｌは、ＣＣＤイメージセンサ１９０の受光面に結像される。そして、ＣＣＤイメージセンサ１９０は、１ライン分の光Ｌを同時に処理している。このライン方向はＹ方向であり本実施形態における主走査方向である。このライン方向の１ライン分の読み取りが終了すると、主走査方向とは直交する方向（Ｘ方向であり副走査方向）にフルレートキャリッジ１７６が移動され、原稿Ｇの次のラインを読み取る。これを原稿Ｇの全体に亘って実行することで、１ページ分の原稿Ｇの読み取りが完了する。
【００６８】
第１プラテンガラス１７４は、例えば長尺の板状構造をなす透明なガラスプレートで構成される。そして、搬送部２２によって搬送される原稿Ｇが第１プラテンガラス１７４上を通過する。このとき、フルレートキャリッジ１７６とハーフレートキャリッジ１７８は、停止状態にある。この停止状態で、原稿Ｇで反射された原稿Ｇの１ライン目の光Ｌが、第１ミラー１８２、第２ミラー１８４、及び第３ミラー１８６を経て結像用レンズ１８８にて結像され、ＣＣＤイメージセンサ１９０によって画像が読み込まれる。即ち、ＣＣＤイメージセンサ１９０によって主走査方向の１ライン分を同時に処理した後、次の主走査方向の１ラインが読み込まれる。
【００６９】
次に、本発明の一実施形態に係る反射板１８０について説明する。
【００７０】
反射板１８０は、読取位置Ｑの上方（読取位置Ｑで原稿Ｇを挟んでランプ２６及び第１ミラー１８２側とは反対側）に設けられ、ランプ２６により照射された光Ｌを第１ミラー１８２へ反射する。
【００７１】
図４、図５には、反射板１８０が示されている。
図４は、反射板１８０の外観を示す斜視図であって、図５は、反射板１８０の（ａ）は断面図であって、（ｂ）は（ａ）の断面図を含んだ斜視図である。また、図６は、反射板１８０下方を原稿Ｇが通過する様子を示す図である。
【００７２】
反射板１８０は、原稿Ｇを案内する案内面１８１と、ランプ２６から照射された光を反射する第１の反射部としての反射面１８３と、第２の反射部としての反射面１８５とで構成される。反射面１８３と反射面１８５は、案内面１８１に対して原稿Ｇの通過方向に連続して設けられている。また、反射面１８３と反射面１８５は、主走査方向に並んで設けられている。
【００７３】
反射面１８３は、後述する反射面１８５に対して凹形状であって、読取位置Ｑから離れた位置でランプ２６からの光を反射する。具体的には、反射面１８３は、案内面１８１から傾斜して形成された反射面１８３ａと、この反射面１８３ａから案内面１８１にむけて傾斜して形成された反射面１８３ｂから構成される。
反射面１８３ａは、本実施形態の第１の反射部に相当する。反射面１８３ａは、斜め下方から照射される光を第１ミラー１８２に向けて直接反射する。すなわち、反射面１８３ａは、読取位置Ｑで読み取れる光量が変わる程度に原稿面と角度が異なって配置される。具体的には、読取位置Ｑに原稿Ｇが存在しない状態の反射面１８３ａで反射した光の光量が、読取位置Ｑに原稿Ｇが存在する状態の反射した光の光量よりも多く読取部２００に向けて反射するような角度分、原稿面に対して傾斜して配置される。本実施形態では、反射面１８３ａは、より光を多く反射できるようほぼ正反射する角度になっていて、更に、鏡面加工がなされている。ランプ２６から照射された光が読取位置Ｑから離れた反射面１８３ａで反射されるため、原稿Ｇが読取位置Ｑに存在する状態と存在しない状態との光量の差が大きくなり、原稿Ｇの先端検知の精度が高まる。すなわち、反射板１８０は、反射面１８３で反射された光を読取部２００が検知して、原稿読取位置Ｑを通過する原稿Ｇの端を検知する。なお、反射面１８３ａは、反射面１８３ｂと比較すると傾斜が緩やかに形成されている。
【００７４】
反射面１８５は、本実施形態の第２の反射部に相当する。反射面１８５は、平坦形状であって、反射面１８３よりも読取位置Ｑに近い位置でランプ２６からの光を反射する。
また、図６に示されているように、反射面１８５は、反射板１８０の下方に搬送される原稿Ｇに形成された例えばパンチ穴等の綴じ穴２０２に対応する主走査方向における位置に設けられ、例えば反射面１８５−１、１８５−２、１８５−３，１８５−４で構成される。
また、図６に示されているように、反射面１８５は、反射板１８０の下方に搬送される原稿Ｇの主走査方向の端と重ならないように、言い換えれば、原稿Ｇの主走査方向の端が、反射面１８３に対応する位置に配置されるように構成される。ここで、反射面１８５で反射された光は、反射面１８３で反射された光と比較すると弱くなってしまう。すなわち、原稿Ｇの端が通過する位置に反射面１８３を配置することで、原稿Ｇのサイドエッジを精度よく検知でき、サイドエッジから原稿Ｇの傾きを検出したり、原稿Ｇの主走査方向の長さを検出できる。また、反射面１８３で反射された光を反射面１８５で反射された光より重みづけして、原稿Ｇの端を判別する。
【００７５】
ここで、綴じ穴２０２は、図７に示されるように、Ａ３，Ａ４、Ｂ４，Ｂ５サイズ等の定型原稿を用いる場合には、所定の位置に形成される。
制御部２０は、Ａ３，Ａ４、Ｂ４，Ｂ５サイズ等の定型原稿における綴じ穴２０２の位置情報と反射面１８５の位置情報を保持し、定型原稿における綴じ穴２０２の位置情報と反射面１８５の位置情報を関連付けて、選択された原稿Ｇの綴じ穴２０２に対応する主走査方向における位置に反射面１８５を配置する。この定型原稿の綴じ穴２０２に対応する位置に反射面１８５−１、１８５−２、１８５−３，１８５−４が配置されることにより、原稿Ｇの厚みでできる影が小さくなって、綴じ穴２０２の読取画像の影を目立たなくすることができる。この原稿Ｇの綴じ穴によって影が生じるメカニズムについては後述する。
【００７６】
図８には、略中央に原稿幅方向の略中央を位置合わせした状態で搬送するセンターレジ方式を用いた場合の綴じ穴２０２の位置が示されている。
図８に示されているように、センターレジ方式を用いた場合には、綴じ穴２０２に対応する位置に反射面１８５−１、１８５−２、１８５−３、１８５−４を有する反射板１８０を用いる。
ここで、Ａ４の原稿を縦送りする場合（Ａ４ＳＥＦ（ＳＥＦ：Ｓｈｏｒｔ  Ｅｄｇｅ  Ｆｅｅｄ））とＢ５の原稿を縦送りする場合（Ｂ５ＳＥＦ）の綴じ穴２０２の位置は近い位置にあり、これらの綴じ穴２０２が配置される位置に反射面１８５−１及び１８５−４が配置される。また、原稿を横送りする場合（ＬＥＦ：Ｌｏｎｇ  Ｅｄｇｅ  Ｆｅｅｄ）の綴じ穴２０２が配置される位置に反射面１８５−２、１８５−３が配置される。
【００７７】
図９には、本発明の他の実施形態に係る原稿の片方のサイドエッジを移動させずに原稿掲載台に位置合わせした状態で搬送する、いわゆる、コーナーレジ方式の原稿読取装置に用いる場合の綴じ穴２０２の位置が示されている。
図９に示されているように、コーナーレジ方式を用いた場合には、綴じ穴２０２に対応する位置に反射面１８５−５、１８５−６、１８５−７、１８５−８、１８５−９を有する反射板１８０を用いる。
すなわち、Ａ４の原稿とＢ５の原稿を綴じ穴２０２側の角で位置合わせして縦送りする場合（Ａ４ＳＥＦ，Ｂ５ＳＥＦ）の綴じ穴２０２が配置される位置に反射面１８５−５が配置される。また、Ａ４の原稿の綴じ穴２０２の反対側の角で位置合わせして縦送りする場合（Ａ４ＳＥＦ）の綴じ穴２０２の配置される位置に反射面１８５−９が配置され、Ｂ５の原稿の綴じ穴２０２の反対側の角で位置合わせして縦送りする場合（Ｂ５ＳＥＦ）の綴じ穴２０２の配置される位置に反射面１８５−８が配置される。また、Ｂ５の原稿を綴じ穴２０２側の角で位置合わせして横送りする場合（Ｂ５ＬＥＦ）の綴じ穴２０２が配置される位置と、Ｂ４の原稿を綴じ穴２０２側の角で位置合わせして縦送りする場合（Ｂ４ＳＥＦ）の綴じ穴２０２の配置される位置に反射面１８５−６、１８５−８が配置され、Ａ４の原稿を綴じ穴２０２側の角で位置合わせして横送りする場合（Ａ４ＬＥＦ）の綴じ穴２０２が配置される位置と、Ａ３の原稿を綴じ穴２０２側の角で位置合わせして縦送りする場合（Ａ３ＳＥＦ）の綴じ穴２０２が配置される位置に反射面１８５−７、１８５−９が配置される。
【００７８】
図１０には、比較例に係る反射板１８７が示されている。
反射板１８７は、上述した反射板１８０と同様に原稿Ｇを案内する案内面１８１と、凹形状であって、斜め下方から照射される光を読取部へむけて反射する搬送される原稿面に対して傾斜して設けられた反射面１８３とで構成されているが、反射面１８５が形成されていない。ここで、案内面１８１と反射面１８３については、反射板１８０と同様の構成である。
【００７９】
図１１は、読取画像中で、原稿Ｇの綴じ穴２０２によって影Ｓが生じるメカニズムを説明する図であって、（ａ）は本発明の一実施形態に係る反射板１８０周辺の拡大断面図であって、（ｂ）は比較例に係る反射板１８７周辺の拡大断面図である。
また、図１２は、比較例に係る反射板１８７を用いて画像形成を行った場合の（ａ）は綴じ穴２０２が存在する原稿の一例を示す図であって、（ｂ）は（ａ）の原稿における綴じ穴２０２周辺の拡大図である。
【００８０】
本発明の一実施形態に係る反射板１８０によれば、綴じ穴２０２が形成された原稿Ｇが読取位置Ｑを通過する際に、綴じ穴２０２によって、斜め下方から照射されるランプ２６の光Ｌは、反射面１８５により反射されて読取部２００に向けて反射される。また、比較例に係る反射板１８７によれば、綴じ穴２０２が形成された原稿Ｇが読取位置Ｑを通過する際に、綴じ穴２０２によって、斜め下方から照射されるランプ２６の光Ｌは、反射面１８３により反射されて読取部２００に向けて反射される。
【００８１】
比較例に係る反射板１８７によれば、反射面１８３が読取位置Ｑから遠く離れているため、図１１（ｂ）及び図１２に示されているように、原稿Ｇの厚みで画像形成される影Ｓが大きく目立って形成されてしまう。また、反射面が読取位置Ｑから遠く離れているため、原稿Ｇが浮いてしまう場合がある。原稿Ｇが浮いてしまうと、原稿Ｇから読取位置Ｑで読み取られる光量が変動してしまい、画像かぶり等が生じてしまう。
【００８２】
一方、本発明の一実施形態に係る反射板１８０によれば、綴じ穴２０２に対応する位置に平坦形状である反射面１８５が配置され、反射面が読取位置Ｑから近いため、図１１（ａ）に示されているように、原稿Ｇの厚みでできる影Ｓは小さく、目立たない。また、原稿Ｇの浮きも反射面１８５があるため、比較例より抑えられている。
【００８３】
図１３は、制御部２０の制御構成を示すブロック図である。
【００８４】
制御部２０は、ＣＰＵ２０４、メモリ２０６、操作部２０８及び入出力部２１０が内部バス２１２で接続された構成となっている。入出力部２１０には、画像形成部１４と、画像読取装置１６と、定着装置８０と、搬送系等が接続されている。画像形成部１４として、画像形成ユニット４０や露光ユニット７０等が制御される。また、画像読取装置１６には、読取部Ｑにむけて搬送された原稿の先端を検知する先端検知部３０等の各センサが接続され、各センサによって、搬送部２２、ランプ２６、ＣＣＤイメージセンサ１９等が制御される。また、定着装置８０として、加熱ロール８０Ａ、加圧ロール８０Ｂ等が制御される。また、搬送系として、給紙ロール８８、位置合わせロール９４等がモータ等の駆動部により制御される。
【００８５】
つまり、制御部２０は、コンピュータとしての構成部分を有し、操作部２０８の入力やセンサによる検知により、画像読取装置１６により原稿Ｇのサイズに基づいた画像の読取、補正が行われ、画像形成部１４の画像形成動作を制御する。
【００８６】
次に、本実施形態に係る画像読取装置１６の動作について説明する。
なお、各処理は制御部２０によって制御される。
図１４は、画像読取装置１６の動作を示すフローチャートである。
【００８７】
ステップＳ１０では、例えば、操作パネル等の操作部２０８からの入力又は原稿サイズセンサ１７２に基づいて、原稿Ｇが読取位置Ｑへ搬送される。
【００８８】
次に、ステップＳ１２において、フルレートキャリッジ１７６が、第１プラテンガラスの下に静止し、読取位置Ｑの斜め下方からランプ照射が開始される。
【００８９】
次に、ステップＳ１４において、原稿の先端が検知される。
ここで、先端検知部３０は、本実施形態における原稿の端を判別する端判別部である。先端検知部は、ＣＣＤイメージセンサ１９０が受光する光量に基づいて原稿Ｇの先端を検知する。詳細には、原稿Ｇの自動読取動作が実行された際に、原稿Ｇが読取位置Ｑに存在しない状態における反射板１８０により反射された直接反射光Ｌの光量と、読取位置Ｑに差し掛かった原稿Ｇで反射された反射光Ｌの光量とを比較して、読取位置Ｑを通過する原稿Ｇの先端を主走査方向で複数検知する。より具体的には、予め反射面１８３で反射した場合の反射光Ｌの光量を記憶しておいて、読取部２００に伝わる反射光Ｌの光量が大から小へと変化したら原稿の先端であると判別する。なお、原稿Ｇの先端部は、反射光Ｌの光量が大から小へと変化した場合に判別され、原稿Ｇの後端部や横端部は、反射光Ｌの光量が小から大へ変化した場合に判別される。
【００９０】
原稿Ｇの先端の検知と同時に、原稿Ｇの読取が行われる。具体的には、反射板１８０からの反射光Ｌが第１ミラー１８２、第２ミラー１８４、及び第３ミラー１８６の順に反射されて結像用レンズ１８８に導かれ、ＣＣＤイメージセンサ１９０によって画像が読み込まれる。なお、説明上、原稿Ｇの先端の検知と原稿Ｇの読取のタイミングは同時となるが、先端部の検知は先端が通過したら、原稿Ｇの読取中で終了してもよい。
【００９１】
また、ステップＳ１４において、原稿が読み取られている最中に、検知された原稿Ｇの先端部の情報から、原稿Ｇがどれだけ主走査方向に対して斜めに搬送されているか、原稿の傾斜角を算出する。
【００９２】
次に、ステップＳ１６において、搬送された原稿Ｇの斜行をデジタルで補正する。具体的には、読み取られた原稿Ｇの画像情報を、ステップＳ１４において算出された傾斜角分傾斜させて傾きを調整するスキュー補正を行い、出力用の画像情報として保存する。
【００９３】
以上、画像読取装置での作業はここまでだが、例えば、複写をする場合には、更に保存されたスキュー補正後の画像情報を用いて、原稿Ｇに画像を形成するよう、画像形成装置に指示をだす。
【００９４】
本実施形態において、制御部２０がＡ３，Ａ４、Ｂ４，Ｂ５サイズ等の定型原稿における綴じ穴２０２の位置情報と反射面１８５の位置情報を保持すると述べたが、これは、画像形成装置において、印刷する際に綴じ穴を形成するようにする場合にも適用できる。また、印刷指示を行ったものを原稿として用いて複写する場合等にも適用できる。
【００９５】
本実施形態においては、機械的（メカ的）に搬送されている原稿の傾きを補正するレジスト調整を行わず、デジタル的に原稿の先端を検出し、スキュー補正をしたので、メカ的なレジスト調整を行う場合に発生する、原稿がレジストロールに突き当たる音がなく、静かな原稿読取装置となっている。
【００９６】
本実施形態においては、検出した原稿の先端情報はスキュー補正に用いたが、これに限らず、先端情報から原稿の主走査方向の長さ、すなわち原稿の幅を検出することに用いることもできる。その場合には、サイズの異なる原稿をまとめて読み取る、いわゆる混載原稿等で、原稿掲載台のサイドガイド情報が使えない場合等に用いることができる。
【００９７】
本実施形態においては、原稿の先端を検出する例について説明したが、これに限らず、原稿の横の端や原稿の後端を検出して、それを基にスキュー補正やサイズ検知を行ってもよい。例えば、後端を検出する場合には、原稿Ｇが読取位置Ｑに存在する状態における反射光Ｌの光量と、読取位置Ｑに存在しなくなり反射板１８０により反射された反射光Ｌの光量とを比較して、読取位置Ｑを通過した原稿Ｇの後端部を検知する。
【００９８】
また、本実施形態においては、光源を読取位置Ｑより下流側に形成し、反射板１８３ａにより反射した反射光を検出して原稿の先端を検出していたが、これに限らず、光源を読取位置Ｑより上流側に形成し、反射板１８３ｂにより反射した反射光を検出して原稿の先端を検出してもよい。その場合には、図１１に示される影は逆側にできる。
【００９９】
本実施形態においては、反射板１８０として、反射面１８３と反射面１８５とを有するものについて説明したが、これに限らず、反射面１８５を有しない反射板１８０をさらに有し、綴じ穴２０２が形成された原稿Ｇを画像形成する場合には、反射面１８３と反射面１８５とを有する反射板１８０を用いて、綴じ穴２０２が形成されていない原稿Ｇを画像形成する場合には、反射面１８５を有しない反射板１８０を用いるように選択するようにしてもよい。
【０１００】
本実施例においては、原稿Ｇの画像を読み取る読取部と、原稿Ｇの端を読み取る読取部が同じものについて説明したが、これに限らず、原稿Ｇの画像を読み取る読取部と、原稿Ｇの端を読み取る読取部を別に設けてもよい。
【０１０１】
本実施形態においては、反射面１８３を原稿Ｇの端を読み取るのに利用したが、これに限らず、白基準をとる白基準板等で構成し白基準を読み取るのに利用してもよい。その場合、反射光が読み取られる位置にありながら、反射面１８５より原稿Ｇから離れた位置にあるので、原稿Ｇによって汚れることが少なくなる。また、特に反射面１８３からの反射光を検出するのに使用する場合に限らず、型成形上の都合で反射面１８５より凹状になるように構成してもよい。
【０１０２】
本実施形態においては、メカ的なレジスト調整を行わなかったが、メカ的なレジスト調整を併用したり、原稿先端検出で使用するのはサイズ情報のみとしたりしてもよい。その場合は、以下のようにメカ的なレジスト調整を行うことができる。
【０１０３】
プリレジストロール１４４は、一対のロールで構成されており、フィードロール１４２から搬送された原稿Ｇを一時停止させてループ（湾曲した部位）を形成し、原稿Ｇの斜行を補正する。この原稿Ｇのループ形成によって、読み取り時における原稿Ｇの搬送に伴うスキュー（先端の傾き）を抑制して、位置合せの調整機能が高められている。
【０１０４】
詳細には、後述するプリレジストセンサ１５６により原稿Ｇの先端が検知されると、制御部２０内のタイマ（図示省略）が起動する。このタイマによって、原稿Ｇの先端がプリレジストロール１４４に接触して原稿Ｇにループが形成されてから原稿Ｇの斜行補正が行われるまでの設定時間が計測される。そして、設定時間が経過した後に、プリレジストロール１４４が回転して原稿Ｇを搬送することで、レジストロール１４６に斜行状態が解消された原稿Ｇが搬送される。
【０１０５】
レジストロール１４６は、一対のロールで構成されており、設定タイミングで回転することにより、読取位置Ｑに対する原稿Ｇの先端のレジストレーション調整（位置調整）を行って、読取位置Ｑへ原稿Ｇを供給する。即ち、搬送部２２では、プリレジストロール１４４で原稿Ｇの先端の傾きが補正され、レジストロール１４６で原稿Ｇの先端位置が補正される。
【０１０６】
なお、本発明は上記の実施形態に限定されない。
【０１０７】
以上で説明したように、本発明は、例えば複写機、プリンタ、ファクシミリ装置等の画像形成装置に適用することができる。
【符号の説明】
【０１０８】
１０・・・画像形成装置
１４・・・画像形成部
１６・・・画像読取装置
２０・・・制御部
２２・・・搬送部
２６・・・ランプ（光源）
３０・・・先端検知部
８０・・・定着装置
１７４・・・第１プラテンガラス（光透過部材）
１８０・・・反射板
１８３・・・反射面（第１の反射部）
１８５・・・反射面（第２の反射部）
２００・・・読取部
２０２・・・綴じ穴
Ｇ・・・原稿
Ｑ・・・読取位置
【図１】
2014165909.tif 000003
【図２】
2014165909.tif 000004
【図３】
2014165909.tif 000005
【図４】
2014165909.tif 000006
【図５】
2014165909.tif 000007
【図６】
2014165909.tif 000008
【図７】
2014165909.tif 000009
【図８】
2014165909.tif 000010
【図９】
2014165909.tif 000011
【図１０】
2014165909.tif 000012
【図１１】
2014165909.tif 000013
【図１２】
2014165909.tif 000014
【図１３】
2014165909.tif 000015
【図１４】
2014165909.tif 000016